(57)【要約】【課題】身体の凹部に対するフィット性に優れると共に、着用者の前後方向の広範囲において吸収性コアが身体の曲面形状に沿うように容易に変形し、吸収性物品全体の肌に対するフィット性にも優れた吸収性物品を提供すること。【解決手段】吸収性物品の前後方向に長い形状の吸収性コア４を備えた吸収性物品であって、吸収性コア４は、その幅方向に、中央域４１及びその両側の側方域４５，４５を有し、中央域４１は、側方域それぞれの上面より上方に突出した突出部５を有している。吸収性コア４は、中央域４１と側方域４５とが一体成形されており、突出部５は、排泄部対向部Ｂから後方部Ｃに亘って形成されている。突出部５に、吸収性コアの幅方向に沿う複数の横溝４４が形成されており、横溝４４は、吸収性コアの形成材料の坪量を減らして形成されており、後方部Ｃに形成された横溝４４ｂは、排泄部対向部Ｃに形成された横溝４４ａよりも深さが深いか幅が広い。【選択図】図１
2014104094.tif 000002
【特許請求の範囲】
【請求項１】
吸収性物品の前後方向に長い形状の吸収性コアを備えた吸収性物品であって、
前記吸収性コアは、その幅方向に、中央域及びその両側に位置する側方域を有し、該中央域は、該側方域それぞれの上面より上方に突出した突出部を有しており、
前記吸収性コアは、前記中央域と前記側方域とが一体成形されており、
前記突出部は、着用者の液排泄部に対向配置される排泄部対向部から該排泄部対向部より後方に配される後方部に亘って形成されており、
前記突出部に、該吸収性コアの幅方向に沿う複数の横溝が形成されており、該横溝は、吸収性コアの形成材料の坪量を減らして形成されており、
前記後方部に形成された前記横溝は、前記排泄部対向部に形成された前記横溝よりも深さが深い、吸収性物品。
【請求項２】
吸収性物品の前後方向に長い形状の吸収性コアを備えた吸収性物品であって、
前記吸収性コアは、その幅方向に、中央域及びその両側に位置する側方域を有し、該中央域は、該側方域それぞれの上面より上方に突出した突出部を有しており、
前記吸収性コアは、前記中央域と前記側方域とが一体成形されており、
前記突出部は、着用者の液排泄部に対向配置される排泄部対向部から該該排泄部対向部より後方に配される後方部に亘って形成されており、
前記突出部に、該吸収性コアの幅方向に沿う複数の横溝が形成されており、該横溝は、吸収性コアの形成材料の坪量を減らして形成されており、
前記後方部に形成された前記横溝は、前記排泄部対向部に形成された前記横溝よりも幅が広い、吸収性物品。
【請求項３】
前記突出部に、前記吸収体の長手方向に沿う縦溝が形成されている、請求項１又は２記載の吸収性物品。
【請求項４】
前記後方部に形成された前記横溝は、前記中央域から前記側方域に亘って連続している、請求項１〜３の何れか１項記載の吸収性物品。
【請求項５】
前記後方部に形成された前記横溝は、前記吸収性コアの幅方向における前記中央域の一部又は全域における底部が、前記側方域の上面よりも下方に位置する、請求項１〜４の何れか１項記載の吸収性物品。
【請求項６】
前記後方部に形成された前記横溝は、前記吸収性コアの幅方向における前記中央域の全域が、前記側方域の前記上面よりも下方に位置する、請求項５記載の吸収性物品。
【発明の詳細な説明】
【技術分野】
【０００１】
本発明は、生理用ナプキン、パンティライナー、失禁パッド等の吸収性物品に関する。
【背景技術】
【０００２】
従来、生理用ナプキン等の吸収性物品における吸収体に、着用者の肌の凹凸形状に沿うように隆起部を設けることが知られており、またその隆起部に溝を形成することも知られている。例えば、特許文献１，２には、溝を有する隆起部を吸収体の中央部付近に備えた吸収体が開示されている。
【先行技術文献】
【特許文献】
【０００３】
【特許文献１】特開２００９−１１２５９０号公報
【特許文献２】特開２０１２−１２５３６６号公報
【０００４】
特許文献１における吸収体は、上層及び下層を有する積層構造を有すると共に、上層が存在して隆起部を形成している中央域に上下層に亘る窪みが形成されている。しかし、その窪みは、熱エンボス加工により形成されたもので、窪みの底部付近が圧密化されているため、窪みの底部付近から他の部分に液が拡散しにくく、ウエットバックの防止性能や吸収体の吸収容量の有効活用の点で改善の余地がある。
また、特許文献２には、多数のブロック状の凸部を有する吸収体に、同様に多数の凸部からなる隆起部を設けたものが開示されている。しかし、隆起部におけるブロック状の凸部間に形成された溝の深さを、着用者の液排泄部に対向配置される排泄部対向部と、それより後方に配される後方部とで異ならせることについて何らの示唆はない。
【発明の概要】
【発明が解決しようとする課題】
【０００５】
したがって本発明の課題は、前述した従来技術が有する欠点を解消し得る吸収性物品を提供することにある。
【課題を解決するための手段】
【０００６】
本発明は、吸収性物品の前後方向に長い形状の吸収性コアを備えた吸収性物品であって、前記吸収性コアは、その幅方向に、中央域及びその両側に位置する側方域を有し、該中央域は、該側方域それぞれの上面より上方に突出した突出部を有しており、前記吸収性コアは、前記中央域と前記側方域とが一体成形されており、前記突出部は、着用者の液排泄部に対向配置される排泄部対向部から該排泄部対向部より後方に配される後方部に亘って形成されており、前記突出部に、該吸収性コアの幅方向に沿う複数の横溝が形成されており、該横溝は、吸収性コアの形成材料の坪量を減らして形成されており、前記後方部に形成された前記横溝は、前記排泄部対向部に形成された前記横溝よりも深さが深い吸収性物品を提供するものである。
【０００７】
また、本発明は、吸収性物品の前後方向に長い形状の吸収性コアを備えた吸収性物品であって、前記吸収性コアは、その幅方向に、中央域及びその両側に位置する側方域を有し、該中央域は、該側方域それぞれの上面より上方に突出した突出部を有しており、前記吸収性コアは、前記中央域と前記側方域とが一体成形されており、前記突出部は、着用者の液排泄部に対向配置される排泄部対向部から該排泄部対向部より後方に配される後方部に亘って形成されており、前記突出部に、該吸収性コアの幅方向に沿う複数の横溝が形成されており、該横溝は、吸収性コアの形成材料の坪量を減らして形成されており、前記後方部に形成された前記横溝は、前記排泄部対向部に形成された前記横溝よりも幅が広い吸収性物品を提供するものである。
【発明の効果】
【０００８】
本発明の吸収性物品によれば、吸収性コアが突出部を有し、身体の凹部に対するフィット性に優れると共に、着用者の前後方向の広範囲において吸収性コアが身体の曲面形状に沿うように容易に変形し、吸収性物品全体の肌に対するフィット性にも優れている。また、吸収性コアが安定した形状を保つことから、吸収性コアがよれることによる吸収容量の低下がおきにくく、肌当接面への液戻りも生じにくい。
【図面の簡単な説明】
【０００９】
【図１】図１は、本発明の第１実施形態である生理用ナプキンを示す斜視図である。
【図２】図２（ａ）、（ｂ）、（ｃ）は、順に、図１のＩＩａ−ＩＩａ線断面図、ＩＩｂ−ＩＩｂ線断面図、ＩＩｃ−ＩＩｃ線断面図である。
【図３】図３は、図１のＩＩＩ−ＩＩＩ線断面図である。
【図４】図４は、図１の生理用ナプキンの着用状態における吸収性コアの変形状態を示す模式図である。
【図５】図５は、図１に示す生理用ナプキンの吸収性コアの製造に好ましく使用される積繊ドラムの周方向に沿う断面を示す模式図である。
【図６】図６は、本発明の第２実施形態である生理用ナプキンの吸収性コアを示す、（ａ）平面図、（ｂ）ＶＩａ−ＶＩａ線断面図及び（ｃ）ＶＩｂ−ＶＩｂ線断面図である。
【図７】図７は、本発明の第３実施形態である生理用ナプキンの吸収性コアを示す、（ａ）平面図、（ｂ）ＶＩＩａ−ＶＩＩａ線断面図及び（ｃ）ＶＩＩｂ−ＶＩＩｂ線断面図である。
【図８】図８は、本発明の第４実施形態である生理用ナプキンの吸収性コアを示す、（ａ）平面図、（ｂ）ＶＩＩＩａ−ＶＩＩＩａ線断面図及び（ｃ）ＶＩＩＩｂ−ＶＩＩＩｂ線断面図である。
【発明を実施するための形態】
【００１０】
以下本発明を、その好ましい実施形態に基づき図面を参照しながら説明する。
本発明の吸収性物品の第１実施形態としての生理用ナプキン１（以下、単にナプキン１ともいう）は、就寝時の使用に適した夜用のナプキンである。
ナプキン１は、図１に示すように、前後方向に長い形状の吸収性本体６と、一対のウイング部７，７と、一対の後方フラップ部８，８とを有している。生理用ナプキン等の吸収性物品に関し、「前後方向」とは、着用時に着用者の前後方向と一致する方向である。
吸収性本体６は、その長手方向に、前方部Ａ、液排泄部対向部Ｂ及び後方部Ｃを有しており、液排泄部対向部Ｂの左右両側に一対のウイング部７，７、後方部Ｃの左右両側に一対の後方フラップ部８，８を有している。液排泄部対向部Ｂは、幅方向の中央部に、着用者の液排泄部（膣口）に対向配置される部分であり、前方部Ａは、液排泄部対向部Ｂより着用者の前側（腹側）に配される部分であり、後方部Ｂは、液排泄部対向部Ｂより着用者の背中側に配される部分である。本明細書では、装着時（着用時）において、相対的に着用者の肌と接する側に近い方を肌当接面側又は上といい、遠い方を非肌当接面側又は下という。
【００１１】
ナプキン１は、着用時に着用者の肌側に向けられる肌当接面を形成する肌側シート２、着用時にショーツ等の衣類側に向けられる非肌当接面を形成する非肌側シート３、及びこれら両シート２，３間に配置された吸収性コア４を備えている。肌側シート２は、液透過性の表面シート２ａ及びその両側に接合された一対の立体ガード形成用シート２ｂ，２ｂを備えている。液透過性の表面シート２ａは、吸収性本体６の幅方向の中央部に、吸収性本体６の全長に亘るように配されている。立体ガード形成用シート２ｂは、吸収性本体の幅方向中央側の側縁部２１を表面シート２ａ上に重ねた状態で、該側縁部２１からやや幅方向の外方の位置において該表面シート２ａに接合されている。立体ガード形成用シート２ｂは、前記側縁部２１の近傍に立体ガード形成用の弾性部材（図示せず）を有しており、着用時には、その弾性部材の収縮力により、液排泄部対向部Ｂにおける該側縁部２１から所定幅の部分が表面シート２ａから離間するように起立して立体ガードを形成する。
【００１２】
一対のウイング部７，７及び一対の後方フラップ部８，８は、吸収性コア４の両側縁から延出した立体ガード形成用シート２ｂ及び非肌側シート３からなる。一対のウイング部７それぞれの非肌側シート３からなる面には、ショーツのクロッチ部の非肌当接面に固定するためのウイング部粘着部（図示せず）が設けられ、吸収性本体６の非肌当接面には、該本体６をショーツの内面に固定するための本体粘着部（図示せず）が設けられている。後方フラップ部８は、着用時に、ショーツの内面（肌当接面）上に配される。後方フラップ部８の非肌側シート３からなる面にも、ショーツの内面に固定するための粘着部が設けられていることが好ましい。肌側シート２と非肌側シート３とは、吸収性コア４の周縁部より外方が接着剤で互いに接合されていると共にナプキン１の周縁部において熱シールにより接合されている。肌側シート２と吸収性コア４との間、及び吸収性コア４と非肌側シート３との間も、ドット、スパイラル、ストライプ等のパターン塗工された接着剤により互いに接合されていることが好ましい。
【００１３】
ナプキン１における吸収性コア４は、パルプ繊維等の繊維材料からなる繊維集合体又は該繊維集合体の繊維間に高吸水性ポリマーを保持させたものからなる。吸収性コア４は、上下両面を、ティッシュペーパーや透水性の不織布からなるコアラップシート（図示略）によって被覆されている。コアラップシートは、吸収性コアの形成材料の漏れ出しを防止したり、吸収性コアの保形性を高める目的で使用される。
【００１４】
ナプキン１における吸収性コア４は、図１に示すように、ナプキン１の前後方向と同方向に長い形状を有している。また、吸収性コア４は、図２（ａ）〜図２（ｃ）に示すように、幅方向Ｙに、中央域４１及びその両側に位置する側方域４５，４５を有しており、該中央域４１は、該側方域４５，４５それぞれの上面Ｓ２，Ｓ２より上方に突出した突出部５を有している。
ナプキン１は、表面シート２ａの下に吸収性コア４の突出部５が存在することによって、肌当接面における幅方向中央部に着用者の肌側に向かって突出する隆起部１１が形成されている。
突出部５は、液排泄部対向部Ｂ及び後方部Ｃの何れにおいても、側方域４５の上面Ｓ２から突出する高さｔの、中央域４１の全厚ｔ１に対する割合が、好ましくは２０％以上、より好ましくは３０％以上であり、また、好ましくは９０％以下、より好ましくは８０％以下であり、また、好ましくは２０％以上９０％以下であり、より好ましくは３０％以上８０％以下である。突出部５の突出高さｔは、中央域４１の全厚ｔ１から側方域４５の厚みｔ２を差し引いた値と同じである。
また、突出部５の幅Ｗ１〔図２（ａ）参照〕は、吸収性コアの全幅Ｗ２に対する割合が、好ましくは２０％以上、より好ましくは３０％以上であり、また、好ましくは８０％以下、より好ましくは７０％以下であり、また、好ましくは２０％以上８０％以下であり、より好ましくは３０％以上７０％以下である。
【００１５】
ナプキン１における、吸収性コア４の突出部５及びそれによって形成される隆起部１１は、図１に示すように、吸収性コア４の長手方向Ｘに長い形状を有しており、ナプキン１の液排泄部対向部Ｂから後方部Ｃの一部に亘って形成されている。より具体的には、液排泄部対向部Ｂの前端部より前方の部位から後方部ＣのＸ方向中央部より後方の部位に亘って形成されている。
突出部５及び隆起部１１は、ナプキン１（吸収性物品）の前後方向Ｘにおいて、液排泄部対向部Ｂから後方部Ｃの一部に亘って形成されていることが好ましい。また、突出部５及び隆起部１１は、ナプキン１の前後方向Ｘの全長の３０％以上の長さに亘って形成されていることが好ましく、ナプキン１の全長の４０％以上の長さに亘って形成されていることがより好ましく、ナプキン１の全長の５０％以上の長さに亘って形成されていることが更に好ましい。
【００１６】
吸収性コア４の中央域４１には、図３に示すように、高坪量部４２と低坪量部４３とが、吸収性コア４の長手方向Ｘに交互に形成されており、個々の低坪量部４３は、吸収性コア４の幅方向Ｙに沿って延びている。高坪量部４２は、吸収性コアの形成材料の坪量が、隣接する低坪量部４３に比較して相対的に高い部分である。
【００１７】
本実施形態のナプキン１においては、高坪量部４２については、液排泄部対向部Ｂと後方部Ｃとで坪量が略等しいのに対して、低坪量部４３については、後方部Ｃの低坪量部４３の坪量が、液排泄部対向部Ｂの低坪量部４３の坪量よりも小さくなっている。
【００１８】
液排泄部対向部Ｂに存する中央域４１では、低坪量部４３の坪量は、高坪量部４２の坪量に対する割合が、好ましくは２０％以上、より好ましくは３０％以上であり、また、好ましくは９０％以下、より好ましくは８０％以下であり、また、好ましくは２０％以上９０％以下であり、より好ましくは３０％以上８０％以下である。
他方、後方部Ｃに存する中央域４１では、低坪量部４３の坪量は、高坪量部４２の坪量に対する割合が、好ましくは５％以上、より好ましくは１０％以上であり、また、好ましくは５０％以下、より好ましくは４０％以下であり、また、好ましくは５％以上５０％以下であり、より好ましくは１０％以上４０％以下である。
また、液排泄部対向部Ｂ及び後方部Ｃのそれぞれにおいて、高坪量部４２の坪量は、好ましくは２５０ｇ／ｍ2以上、より好ましくは３００ｇ／ｍ2以上であり、また、好ましくは８００ｇ／ｍ2以下、より好ましくは７００ｇ／ｍ2以下であり、また、好ましくは２５０ｇ／ｍ2以上８００ｇ／ｍ2以下であり、より好ましくは３００ｇ／ｍ2以上７００ｇ／ｍ2以下である。
【００１９】
液排泄部対向部Ｂ及び後方部Ｃのそれぞれにおいて、高坪量部４２は、低坪量部４３よりも坪量が大きいだけでなく、厚みも大きくなっている。
液排泄部対向部Ｂにおける低坪量部４３の厚みは、高坪量部４２の厚みに対する割合が、好ましくは２０％以上、より好ましくは３０％以上であり、また、好ましくは９０％以下、より好ましくは８０％以下であり、また、好ましくは２０％以上９０％以下であり、より好ましくは３０％以上８０％以下である。
後方部Ｃにおける低坪量部４３の厚みは、高坪量部４２の厚みに対する割合が、好ましくは５％以上、より好ましくは１０％以上であり、また、好ましくは５０％以下、より好ましくは４０％以下であり、また、５％以上５０％以下であることが好ましく、１０％以上４０％以下であることがより好ましい。
また、液排泄部対向部Ｂ及び後方部Ｃのそれぞれにおいて、高坪量部４２の厚みは、好ましくは３ｍｍ以上、より好ましくは４ｍｍ以上であり、また、好ましくは１０ｍｍ以下、より好ましくは８ｍｍ以下であり、また、好ましくは３ｍｍ以上１０ｍｍ以下であり、より好ましくは４ｍｍ以上８ｍｍ以下である。
【００２０】
また、液排泄部対向部Ｂ及び後方部Ｃのそれぞれにおいて、高坪量部４２は、低坪量部４３と密度がほぼ均一である。即ち、高坪量部４２は吸収部材の坪量に応じて厚みが厚くなり、低坪量部４３は吸収部材の坪量に応じて厚みが薄くなっている。
【００２１】
〔高坪量部及び低坪量部の坪量の測定方法〕
吸収性コアを、高坪量部と低坪量部の境界線に沿ってフェザー社製片刃剃刀を用いて切断して、高坪量部及び低坪量部の小片を得る。高坪量部は、中央域４１における一対の低坪量部４３，４３に挟まれた部分を小片として切り出す。当該小片が、後述する第２実施形態のように縦方向に延びる縦溝５０を含む場合は、縦溝５０の底面に存在する低坪量部を除去して得られた個々の小片を、測定に用いる。低坪量部の小片は、中央域４１における一対の高坪量部４２，４２間に挟まれた細幅の部分を小片として切り出す。
それらの小片の重量を電子天秤(Ａ＆Ｄ社製電子天秤ＧＲ−３００、精度：小数点以下４桁)を用いて測定する。求めた重量を高坪量部又は低坪量部の小片の面積で除して小片の坪量を算出する。高坪量部及び低坪量部のそれぞれについて、小片５個の坪量の平均を坪量とする。
【００２２】
〔高坪量部及び低坪量部の厚み及び密度の測定方法〕
高坪量４２及び低坪量４３の厚みの測定は、各々の部位において坪量を測定するためにフェザー社製片刃剃刀を用いて切り出した小片の厚みを測定することで行う。吸収性物品より切り出した高坪量４２と低坪量部４３の小片の測定部を、５ｋＰａで１０分間加圧し、除重後すぐに測定を行う。サンプルの中央域に、大きさ２０ｍｍ×２０ｍｍ、厚み３ｍｍのアクリルプレートを吸収体３の上に置き、ＫＥＹＥＮＣＥ社製非接触式レーザー変位計（レーザーヘッドＬＫ−Ｇ３０、変位計ＬＫ−ＧＤ５００）を用い、サンプルの厚みを測定する。非接触式レーザー変位計により測定し難い場合には、前記切断されたサンプルの断面を、例えば、マイクロスコープ（ＫＥＹＥＮＣＥ社製ＶＨＸ−１０００）を用いて２０〜１００倍の倍率で観察し、測定してもよい。高坪量部及び低坪量部の厚みや横溝の深さは、吸収性コアをその幅を２等分する長手方向中央線における断面における厚みや深さを測定することが好ましいが、後述する第２実施形態のように、当該長手方向中央線上に縦溝がある場合には、当該縦溝を避けて測定する。
高坪量部及び低坪量部の密度は、上述のようにして測定した坪量及び厚みから算出する。
【００２３】
そして、坪量差及び厚み差を有する高坪量部４２と低坪量部４３とが、上記の態様で形成されていることによって、吸収性コア４の中央域４１における肌当接面に、非肌当接面側に向かって凹んだ複数本の横溝４４が、それぞれ吸収性コア４の幅方向Ｙに延びて形成されており、また、図２（ｂ）、図２（ｃ）及び図３に示すように、後方部Ｃに形成された横溝４４ｂの深さｄ２が、液排泄部対向部Ｂに形成された横溝４４ａの深さｄ１よりも深くなっている。
本明細書において、肌当接面は、吸収性物品又はその構成部材における着用時に着用者の肌側に向けられる面であり、非肌当接面は、吸収性物品又はその構成部材における着用時に着用者の肌側とは反対側に向けられる面である。
【００２４】
また、吸収性コア４は、突出部５を含めた中央域４１と一対の側方域４５，４５とが一体成形されている。「一体成形されている」とは、別の工程で製造した部材どうしを接着剤や圧縮などの接合手段で結合したものとは異なり、同一の材料を用いて、一つの工程で一体的に形成されていることを意味する。従って、例えば、中央域４１における突出部５を形成する部分４２ｕとそれより下に位置する部分４２ｄとの間には、別に製造した２つの吸収性コアを重ねた場合に生じるような層どうしの隣接部や結合部が存在せず、また、中央域４１と側方域４５，４５との境界部にも、別に製造した２つの吸収性コアを並べて配置した場合に生じるコアどうしの隣接部や結合部が存在しない。
突出部５を含めた中央域４１と一対の側方域４５，４５とが一体成形されていると、吸収する液体が、スムーズに移動し得る連続性を有するようになる。このような構造の吸収性コアの製造方法については後で説明する。
【００２５】
なお、ナプキン１における吸収性コア４は、突出部５及び横溝４４を有することによって、肌当接面側が凹凸形状を有する一方、非肌当接面側は平坦となっている。
【００２６】
本実施形態のナプキン１によれば、液排泄部対向部Ｂ及び後方部Ｃのぞれぞれの中央域４１に横溝４４を有すると共に、後方部Ｃの横溝４４ｂの深さｄ２が、液排泄部対向部Ｂの横溝４４ａの深さｄ１より深くなっているため、図４に示すように、突出部５及びそれよって形成される隆起部１１を、着用者の液排泄部や臀裂に沿わせながら、液排泄部対向部Ｂから後方部Ｃに亘って、吸収性コア４の断面形状を、着用者の身体の曲面形状に沿うように変形させることができる。これにより、ナプキン１の全長に亘って身体の凹凸に対するフィット性に優れると共に、着用者の動きに対する追従変形性に優れ、皺や吸収性コアの折れに起因する違和感も与えにくい。
【００２７】
本願発明の溝部とは異なり、部分的に圧縮することにより横溝部を形成した場合、該横溝部はその他の部分に比べ密度が高くなり、可撓軸として働くので曲げ剛性が高くなる。一方で、横溝部が硬くなることから着用者に装着による違和感を感じさせやすくなる。
これに対してナプキン１の横溝部４４は、部分的に吸収材料の坪量を減らすことで厚みを薄くした低坪量部４３の肌当接面側に形成されたものであることから、横溝部の底面に形成された低坪量部４３と高坪量部４２の密度はほぼ均一となる。このため、横溝部４４は吸収性コア４の変形を速やかに促す一方、横溝部４４が部分的に硬くなることが無く、着用者に装着による違和感を感じさせにくい。
【００２８】
しかも、吸収性コアが一体成形したものであり、横溝４４が、吸収性コア４の形成材料の坪量を減らして形成したものであるため、突出部５から吸収した液が、中央域４１において厚み方向にスムーズに拡散すると共に、横溝４４の底部付近から他の部位へも液が拡散し易く、横溝４４の底部付近に滞留した液が加圧によって肌当接面に液戻りすることもない。そのため、液が多量に供給された場合等においても、肌当接面に液が残りにくく、快適な着用感が得られる。
【００２９】
身体形状に沿う良好な変形性の確保等の観点から、後方部Ｃに形成された横溝４４ｂの深さｄ２は、液排泄部対向部Ｂに形成された横溝４４ａの深さｄ１に対する割合が、好ましくは１２５％以上、より好ましくは１５０％以上であり、また、好ましくは４００％以下、より好ましくは３００％以下であり、また、好ましくは１２５％以上４００％以下であり、より好ましくは１５０％以上３００％以下である。
また、着用者の身体の形状に沿って変形することを促す観点から、液排泄部対向部Ｂに形成された横溝４４ａの深さｄ１は、液排泄部対向部Ｂにおける中央域４４の全厚ｔ１に対する割合が、好ましくは１０％以上、より好ましくは２０％以上であり、また、好ましくは８０％以下、より好ましくは７０％以下であり、また、好ましくは１０％以上８０％以下であり、より好ましくは２０％以上８０％以下である。
【００３０】
また、吸収性コアが、着用者の液排泄部より後方の肌面の曲率半径が比較的小さい部分にも良好にフィットするようにするようにする観点及び液が多量に供給された場合等においても肌当接面の液残りを抑制させる観点から、後方部Ｃに形成された横溝４４ｂの深さｄ２は、後方部Ｃにおける中央域４４の全厚ｔ１に対する割合が、好ましくは５０％以上、より好ましくは６０％以上であり、また、好ましくは９５％以下、より好ましくは９０％以下であり、また、好ましくは５０％以上９５％以下であり、より好ましくは６０％以上９０％以下である。
【００３１】
また、横溝４４の幅Ｗは、好ましくは０．５ｍｍ以上、より好ましくは１ｍｍ以上であり、また、好ましくは１０ｍｍ以下、より好ましくは５ｍｍ以下であり、また、０．５ｍｍ以上１０ｍｍ以下であることが好ましく、１ｍｍ以上５ｍｍ以下であることがより好ましい。横溝４４の幅Ｗは、図３に示すように、吸収性コアの長手方向Ｘにおける寸法である。
【００３２】
また、液排泄部対向部Ｂに形成された横溝４４ａは、１本でも複数本でも良く、後方部Ｃに形成された横溝４４ｂも１本でも複数本でも良い。また、後方部Ｃに形成された横溝４４ｂが複数本である場合、液排泄部対向部Ｂに形成された横溝４４ａよりも深さが深い溝部は、複数本のうちの一部であっても全部であっても良い。また、液排泄部対向部Ｂ及び後方部Ｃにそれぞれ複数本の横溝４４が形成されている場合、液排泄部対向部Ｂに形成された横溝４４ａどうし間の間隔に比較して、後方部Ｃに形成された横溝４４ｂどうし間の間隔が狭い方が好ましい。突出部５を有する中央域４１に形成する横溝の本数は、好ましくは２本以上、より好ましくは４本以上であり、また、好ましくは１５本以下、より好ましくは１０本以下であり、また、好ましくは２本以上１５本以下であり、より好ましくは４本以上１０本以下である。
【００３３】
また、本実施形態のナプキン１においては、図２（ｂ）及び図３に示すように、液排泄部対向部Ｂに形成された横溝４４ａは、吸収性コア４の幅方向Ｙにおける中央域４１の全域に亘って底部４４ｄが、側方域４５の上面Ｓ２よりも上方に位置している。図３中、Ｌ１は、側方域４５の上面Ｓ２の高さ位置を示す仮想線である。
一方、図２（ｃ）及び図３に示すように、後方部Ｃに形成された横溝４４ｂは、吸収性コア４の幅方向Ｙにおける中央域４１の中央部における底部４４ｄが、側方域４５の上面Ｓ２よりも下方に位置している。また、図７（ｃ）に示すように、後述する第３実施形態の生理用ナプキンの吸収性コア４Ｂにおいては、後方部Ｃに形成された横溝４４ｂは、吸収性コア４の幅方向Ｙにおける中央域４１の側方域４５に隣接する部分における底部４４ｄが、側方域４５の上面Ｓ２よりも下方に位置している。また、後述する第４実施形態の生理用ナプキンの吸収性コア４Ｃにおいては、後方部Ｃに形成された横溝４４ｂは、吸収性コア４の幅方向Ｙにおける中央域４１の全域に亘る底部４４ｄが、側方域４５の上面Ｓ２よりも下方に位置している。
【００３４】
後方部Ｃの横溝４４ｂの、吸収性コアの幅方向Ｙにおける中央域４１の全域又は一部の底部４４ｄが、側方域４５の上面Ｓ２より下方に位置することによって、着用者の液排泄部より後方に配される部分における製品の剛性が低くなるとともに、身体の曲率が大きくなる部位においても追従できることが可能となり高いフィット性が得られる。このような効果が一層確実に奏されるようにする観点から、後方部Ｃに形成された横溝４４ｂは、吸収性コアの幅方向Ｙにおける中央域４１の全域が、前記側方域４５の前記上面Ｓ２よりも下方に位置することが一層好ましい。
【００３５】
後方部Ｃの横溝４４ｂは、突出部５の幅Ｗ１の５０％以上の長さ、より好ましくは７０％以上の長さに亘って、側方域４５の上面Ｓ２より下方に位置することが好ましい。
【００３６】
上述したナプキン１の吸収性コア４は、外周面に集積用凹部５５を備え、一方向Ａに回転する積繊ドラム５４と、該積繊ドラム５４の外周面に吸収性コアの形成材料を飛散状態で供給するダクト（図示せず）を備えた積繊装置を用いて製造することができる。
集積用凹部５５は、積繊ドラム５４の外周面の周方向に一定の間隔で複数個形成されている。集積用凹部５５の底面５６は、メッシュプレート等からなり、吸引孔として機能する多数の細孔を有している。
【００３７】
図５に示すように、集積用凹部５５の底面５６の一部には、突出部５を有する中央域４１を形成するための凹部５６ａが形成されている。集積用凹部５５の底部には、低坪量部４３等の低坪量部を吸収性コアに形成するための難通気性部材５７が配置されている。難通気性部材５７は、集積用凹部５５の底面から突出するように固定されており、非通気性部材であっても良く、例えば金属やプラスチックからなる。
積繊ドラムを備えた公知の積繊装置と同様に、集積用凹部５５の底面から吸引しつつ、ダクト内に吸収性コアの形成材料を供給することによって、図５（ｂ）に示すように、吸収性コアの形成材料が集積用凹部５５内に所定形状に堆積する。その堆積物４’を、集積用凹部５５から離型することで吸収性コア４が得られる。吸収性コア４は、コアラップシートで被覆する前又は被覆した後、一対のロール間に通すこと等により加圧し適度に圧縮させる。これにより、図５（ｂ）に示すように、難通気性部材５７上に堆積したコア形成材料からなる部分４３’が、坪量及び密度が相対的に小さい低坪量部４３となり、難通気性部材５７を有しない底面上に堆積した部分４２’が、坪量及び密度が相対的に大きい高坪量部４２となる。吸水性ポリマーを含む吸収性コアを製造する場合、ダクトの途中に吸水性ポリマーの導入部を設けることが好ましい。
【００３８】
表面シート２ａ及び非肌側シート３としては、当該技術分野において従来用いられてきたものと同様のものを特に制限なく用いることができる。例えば、表面シート２ａとしては、液透過性を有する不織布や、穿孔フィルムを用いることができる。非肌側シート３としては、合成樹脂製の液不透過性フィルムや、スパンボンド−メルトブローン−スパンボンド積層不織布等の耐水圧が高い撥水性の不織布を用いることができる。また、立体ガード形成用シート２ｂとしては、耐水圧が高い撥水性の不織布、例えば、スパンボンド−メルトブローン−スパンボンド積層不織布等を用いることができる。
【００３９】
次に、本発明の第２〜第５実施形態の生理用ナプキンについて説明する。第２〜第５実施形態の生理用ナプキンは、吸収性コアの構成が第１実施形態と異なる。第２〜第５実施形態については、第１実施形態と異なる点について主として説明し、同様の点については同一の符号を付して説明を省略する。特に言及しない点については、第１実施形態に関する説明が適宜適用される。
【００４０】
第２実施形態における吸収性コア４Ａにおいては、図６に示すように、突出部５を形成する中央域４１の肌当接面に縦溝５０が形成されている。縦溝５０は、吸収性コアの幅方向Ｙに沿う横溝４４と同様に、吸収性コアの中央域４１に、吸収性コアの形成材料の坪量及び厚みが、高坪量部４２よりも小さい低坪量部４８を設けて形成されている。また、縦溝５０は、突出部５を縦断して、該突出部５の長手方向の両端より前方又は後方に位置する前端及び後端領域に延在している。また、縦溝５０は、液排泄部対向部Ｂ及び後方部Ｃのそれぞれにおいて、底部が、側方域４５の上面Ｓ２よりも下方に位置している。これに代えて、液排泄部対向部Ｂ及び後方部Ｃのそれぞれにおいて、中央域４１に形成する縦溝５０は、その底部が、側方域４５の上面Ｓ２よりも上方に位置するようにしても良い。また、液排泄部対向部Ｂと後方部Ｃとで縦溝５０の深さを異ならせても良く、例えば、液排泄部対向部Ｂにおける底部は、側方域４５の上面よりも上方に位置させる一方、後方部Ｃにおける底部は、側方域４５の上面よりも上方に位置させても良い。
【００４１】
第２実施形態における吸収性コア４Ａは、積繊ドラムの集積用凹部５５内に、横溝４４を形成する難通気性部材に加えて縦溝５０を形成する難通気性部材を配する以外は、第１実施形態の吸収性コア４の前述した製造方法と同様にして製造することができる。
【００４２】
第３及び第４実施形態における吸収性コア４Ｂ，４Ｃにおいては、図７及び図８に示すように、突出部５を形成する中央域４１、側方域４５，４５、並びに長手方向における中央域４１の両端より外方の前後端領域に、縦溝５０，５１を有している。また、液排泄部対向部Ｂ及び後方部Ｃのそれぞれにおいて、中央域４１に形成された横溝４４が、中央域４１の両側の側方域４５のそれぞれに延在しており、より具体的には、各横溝４４は、吸収性コア４の幅方向Ｙの全域に亘っている。また、中央域４１に形成された縦溝５０は、突出部５を縦断して、該突出部５より前方又は後方に位置する前端及び後端領域に延在しており、吸収性コア４の長手方向Ｘの全長に亘っている。
【００４３】
第３実施形態における縦溝５０の底部は、液排泄部対向部Ｂ及び後方部Ｃのそれぞれにおいて、横溝４４の側方域４５に位置する部分の底部の高さ位置より上方に位置している。第４実施形態における縦溝５０の底部は、液排泄部対向部Ｂにおいては、横溝４４の側方域４５に位置する部分の底部の高さ位置より上方に位置し、後方部Ｃにおいては、横溝４４の側方域４５に位置する部分の底部の高さ位置と略同じ位置に形成されている。
また、第３実施形態における吸収性コア４Ｂにおいては、後方部Ｃに形成された横溝４４ｂの幅、即ち吸収性本体の長手方向の寸法が、液排泄部対向部Ｂに形成された横溝４４ａの幅より広くなっている。また、第４実施形態における吸収性コア４Ｃは、後方部Ｃに形成された横溝４４ｂとして、中央域４１の中央部における位置が、吸収性コアの幅方向Ｙの両端部よりも前方に位置するように屈曲した横溝を有している。また、第３実施形態の吸収性コア４Ｂは、中央域４１の厚みが、幅方向Ｘにおける中央部から側方域４５のそれぞれに向かって漸減している。
【００４４】
第２〜第４実施形態においては、突出部５を有する中央域４１に、吸収性コア４の長手方向に沿う縦溝５０が形成されている。そのため、突出部５及びそれよってナプキンの肌当接面に形成される隆起部１１が、一層、着用者の身体形状に沿うように変形し易くなり、身体の凹凸に対するフィット性が一層向上する。また、中央域４１の厚み方向への液の吸い込み性が向上し、肌当接面に液が一層残りにくくする観点から、縦溝５０は、液排泄部対向部Ｂ及び後方部Ｃのうちの少なくとも後方部Ｃに形成されていることが好ましく、排泄部対向部Ｂから後方部Ｃの一部に亘るように形成されていることが更に好ましい。
【００４５】
また、第３及び第４実施形態においては、後方部Ｃに形成された横溝４４は、中央域４１から側方域４５に亘って連続しており、具体的には、吸収性コア４の幅方向Ｙの全域に亘っている。
横溝４４は、排泄部対向部Ｂ及び後方部Ｃのうちの少なくとも後方部Ｃに形成された横溝４４ｂが、中央域４１から側方域４５に亘って連続するように形成されていることが、より製品が柔軟に曲がりやすくなる点から好ましい。ここで、横溝４４に関し、中央域から側方域に亘って連続するとは、上側が解放された横溝内の空間が、中央域と側方域との間で途切れることなく、中央域から側方域に亘って連続して存在することを意味する。第３及び第４実施形態のナプキンにおいては、図７（ｂ）及び図８（ｂ）に示すように、横溝４４は、縦溝５０，５１と平面視十字状に交差しているが、縦溝を挟んで対峙する一方の側の横溝内の空間の延長上に他方の横溝内の空間の全部又は一部が存在するような場合は、縦溝との交差部で横溝は途切れていないものとする。
【００４６】
第５実施形態の生理用ナプキンは、第１又は第２実施形態の生理用ナプキンの吸収性コア４，４Ａにおける、後方部Ｃに形成された横溝４４ｂの深さｄ２を、液排泄部対向部Ｂに形成された横溝４４ａの深さｄ１に一致させて等しくする一方、後方部Ｃに形成された横溝４４ｂの幅を、液排泄部対向部Ｂに形成された横溝４４ａの幅よりも広くしたものである。第３実施形態や第５実施形態におけるように、後方部Ｃに形成された横溝４４ｂの幅を、液排泄部対向部Ｂに形成された横溝４４ａの幅よりも広くすることによっても、第１実施形態と同様の効果が奏される。第５実施形態について、特に説明しない点は、好ましい構成を含めて第１又は第２実施形態と同様の構成を採用しうる。後方部Ｃに形成された横溝４４ｂの幅を、液排泄部対向部Ｂに形成された横溝４４ａの幅より大きくする場合、後方部Ｃの横溝４４ｂの幅は、液排泄部対向部Ｂの横溝４４ａに対する割合が、好ましくは１２５％以上、より好ましくは１５０％以上であり、また、好ましくは５００％以下、より好ましくは３００％以下であり、また、好ましくは１２５％以上５００％以下であり、より好ましくは１５０％以上３００％以下である。
【００４７】
以上、本発明をその好ましい実施形態に基づき説明したが、本発明は前記実施形態に制限されない。
例えば、第２〜第４実施形態における吸収性コアには、該吸収性コアの長手方向に延びる縦溝が形成されていたが、縦溝は形成されていなくても良い。また、中央域における縦溝を設ける一方、側方域における縦溝を設けなくても良いし、その逆に、中央域における縦溝を設けない一方、側方域における縦溝を設けても良い。
【００４８】
また、中央域４１から側方域４５に亘って連続する横溝４４を、吸収性物品の液排泄部対向部Ｂのみに形成しても良いし、後方部Ｃのみに形成しても良い。
また、中央域４１に形成する横溝４４ａ，４４ｂは、肌当接面側に形成するのに代えて、非肌当接面側に形成しても良い。
【００４９】
また、上記実施形態では、高坪量部４２と低坪量部４３の密度が均一であったが、これ代えて、高坪量部４２の密度が低坪量部４３の密度よりも大きくすることも可能である。この場合は、吸収性コア４の中央域４１が、吸収性コア４を製造する工程においてプレスされる。この際、プレスによる圧力は厚みの厚い高坪量部４２に集中し、厚みの薄い低坪量部４３はプレスにより圧力を受けず圧縮されない。このように、高坪量部４２のみが圧縮されることで高坪量部４２は低坪量部４３に対して吸収部材の密度が高まる。このため、低坪量部４３で取り込まれた体液が高坪量部４２へと移動し易くなって、吸収性コア４が有効に利用される。
【００５０】
吸収性コア４の側方域４５は、中央域４１をプレスする工程とは別の工程でプレスされる。プレスのよる圧力は厚みの厚い高坪量部４６に集中し、厚みの薄い低坪量部４７はプレスにより圧力を受けず圧縮されない。このように、高坪量部４２のみが圧縮されることで高坪量部４６は低坪量部４７に対して吸収部材の密度が高まるように設計されている。なお、この工程で用いるプレス工程は、中央域４１に該当する形にくり抜かれたプレスロールや吸収性コア４の側方域４５に該当する部分にのみプレス部が存在するロールを用いる等の措置を行い、吸収性コア４の側方域のみをプレスされるように工夫されている。
【００５１】
また、吸収性コアは、パルプ繊維等の繊維材料のみからなるものであっても良いし、繊維材料と高吸水性ポリマーとの両者を含むものであっても良い。繊維材料としては、従来、生理用ナプキンやパンティライナー、使い捨ておむつ等の吸収性物品の吸収体に用いられている各種のものを特に制限なく用いることができ、例えば、パルプ繊維、レーヨン繊維、コットン繊維等のセルロース系繊維の短繊維や、ポリエチレン等の合成繊維の短繊維等が用いられる。これらの繊維は、１種を単独で又は２種以上を組み合わせて用いることができる。また、繊維材料は、全体又は一部がパルプ繊維であることが好ましく、繊維材料中のパルプ繊維の割合は５０〜１００質量％であることが好ましく、より好ましくは８０〜１００質量％であり、更に好ましくは１００質量％である。尚、吸収性コアには、高吸水性ポリマー以外に、消臭剤や抗菌剤等を必要に応じて配合しても良い。
【００５２】
また、本発明の吸収性物品は、生理用ナプキンの他、パンティライナー（おりものシート）、失禁パッド、使い捨ておむつ等の他の吸収性物品であっても良い。上述した一の実施形態における説明省略部分及び一の実施形態のみが有する要件は、それぞれ他の実施形態に適宜適用することができ、また、各実施形態における要件は、適宜、実施形態間で相互に置換可能である
【００５３】
上述した実施形態に関し、本発明は更に以下の吸収性物品を開示する。
＜１＞  吸収性物品の前後方向に長い形状の吸収性コアを備えた吸収性物品であって、前記吸収性コアは、その幅方向に、中央域及びその両側に位置する側方域を有し、該中央域は、該側方域それぞれの上面より上方に突出した突出部を有しており、前記吸収性コアは、前記中央域と前記側方域とが一体成形されており、前記突出部は、着用者の液排泄部に対向配置される排泄部対向部から該排泄部対向部より後方に配される後方部に亘って形成されており、前記突出部に、該吸収性コアの幅方向に沿う複数の横溝が形成されており、該横溝は、吸収性コアの形成材料の坪量を減らして形成されており、前記後方部に形成された前記横溝は、前記排泄部対向部に形成された前記横溝よりも深さが深い吸収性物品。
【００５４】
＜２＞  吸収性物品の前後方向に長い形状の吸収性コアを備えた吸収性物品であって、前記吸収性コアは、その幅方向に、中央域及びその両側に位置する側方域を有し、該中央域は、該側方域それぞれの上面より上方に突出した突出部を有しており、前記吸収性コアは、前記中央域と前記側方域とが一体成形されており、前記突出部は、着用者の液排泄部に対向配置される排泄部対向部から該該排泄部対向部より後方に配される後方部に亘って形成されており、前記突出部に、該吸収性コアの幅方向に沿う複数の横溝が形成されており、該横溝は、吸収性コアの形成材料の坪量を減らして形成されており、前記後方部に形成された前記横溝は、前記排泄部対向部に形成された前記溝よりも幅が広い吸収性物品。
＜３＞  前記突出部に、前記吸収体の長手方向に沿う縦溝が形成されている、＜１＞又は＜２＞記載の吸収性物品。
＜４＞  前記後方部に形成された前記横溝は、前記中央域から前記側方域に亘って連続している、＜１＞〜＜３＞の何れか１に記載の吸収性物品。
＜５＞  前記後方部に形成された前記横溝は、前記吸収性コアの幅方向における前記中央域の一部又は全域における底部が、前記側方域の上面よりも下方に位置する、＜１＞〜＜４＞の何れか１に記載の吸収性物品。
＜６＞  前記後方部に形成された前記横溝は、前記吸収性コアの幅方向における前記中央域の全域が、前記側方域の前記上面よりも下方に位置する、＜５＞記載の吸収性物品。
＜７＞  前記突出部は、液排泄部対向部及び後方部の何れにおいても、前記側方域の上面から突出する高さの、前記中央域の全厚に対する割合が２０％以上９０％以下である＜１＞〜＜６＞の何れか１に記載の吸収性物品。
＜８＞  前記突出部の幅は、吸収性コアの全幅に対する割合が２０％以上８０％以下である＜１＞〜＜７＞の何れか１に記載の吸収性物品。
＜９＞  前記液排泄部対向部に存する中央域では、低坪量部の坪量は、高坪量部の坪量に対する割合が２０％以上９０％以下である＜１＞〜＜８＞の何れか１に記載の吸収性物品。
＜１０＞  前記後方部に存する中央域では、低坪量部の坪量は、高坪量部の坪量に対する割合が５％以上５０％以下である＜１＞〜＜９＞の何れか１に記載の吸収性物品。
【００５５】
＜１１＞  前記液排泄部対向部における低坪量部の厚みは、高坪量部の厚みに対する割合が、２０％以上９０％以下である＜１＞〜＜１０＞の何れか１に記載の吸収性物品。
＜１２＞  前記後方部における低坪量部の厚みは、高坪量部の厚みに対する割合が、５％以上５０％以下である＜１＞〜＜１１＞の何れか１に記載の吸収性物品。
＜１３＞前記横溝は、吸収性コアの肌当接面に設けられている、＜１＞〜＜１２＞の何れか１に記載の吸収性物品。
＜１４＞前記縦溝は、吸収性コアの肌当接面に設けられている、＜１＞〜＜１３＞の何れか１に記載の吸収性物品。
＜１５＞前記吸収性コアは、肌当接面側が凹凸形状を有し、非肌当接面側は平坦である＜１＞〜＜１４＞の何れか１に記載の吸収性物品。
＜１６＞  前記後方部に形成された横溝の深さは、前期液排泄部対向部に形成された横溝の深さに対する割合が、１２５％以上４００％以下である＜１＞〜＜１５＞の何れか１に記載の吸収性物品。
＜１７＞  液排泄部対向部に形成された横溝の深さは、液排泄部対向部における中央域の全厚に対する割合が、１０％以上８０％以下である＜１＞〜＜１６＞の何れか１に記載の吸収性物品。
＜１８＞前記突出部は、液排泄部対向部及び後方部の何れにおいても、側方域の上面から突出する高さの、中央域の全厚に対する割合が、２０％以上９０％以下である、＜１＞〜＜１７＞の何れか１に記載の吸収性物品。
＜１９＞突出部幅は、吸収性コアの全幅に対する割合が２０％以上８０％以下である＜１＞〜＜１８＞の何れか１に記載の吸収性物品。
＜２０＞前記吸収性物品が生理用ナプキンである＜１＞〜＜１９＞の何れか１に記載の吸収性物品。
【符号の説明】
【００５６】
１  生理用ナプキン
２  肌側シート
２ａ  表面シート
２ｂ  立体ガード形成用シート
３  非肌側シート
４，４Ａ〜４Ｃ  吸収性コア
４１  中央域
４２  高坪量部
４３  低坪量部
４４  横溝
４４ｂ  液排泄部対向部の横溝
４４ａ  後方部の横溝
４５  側方域
Ｓ２  側方域の上面
５  突出部
６  吸収性本体
７  ウイング部
８  後方フラップ部
１１  隆起部
５０〜５１  縦溝
５４  集積用凹部
５５  積繊ドラム
５６  集積用凹部の底面
５６ａ  凹部
５７  難通気性部材
Ａ  前方部
Ｂ  液排泄部対向部
Ｃ  後方部
【図１】
2014104094.tif 000003
【図２】
2014104094.tif 000004
【図３】
2014104094.tif 000005
【図４】
2014104094.tif 000006
【図５】
2014104094.tif 000007
【図６】
2014104094.tif 000008
【図７】
2014104094.tif 000009
【図８】
2014104094.tif 000010